(57)【特許請求の範囲】
【請求項１】
指サック部（１）と手首への装着部（２）とを有し、前記指サック部（１）に摘み操作可能な把手（４）を形成し、前記指サック部（１）と前記装着部（２）とを、前記指サック部（１）と前記装着部（２）の間隔を調節可能な伸縮機構（Ｂ）を介して連結し、前記装着部（２）を伸縮性の高い材料でベルト状に形成し、このベルト状の前記装着部（２）における前記手首の内向き面に接触する部分の幅（Ｌ）を広く、かつ、前記手首の側面に接触する部分の幅（ｌ）を狭くしてある釣り用手袋において、
前記指サック部（１）と前記装着部（２）とを連結する手甲部（３）と、
前記手甲部（３）に握り拳の瘤に被さる長孔（３Ａ）を形成してなる
釣り用手袋。
【発明の詳細な説明】
【０００１】
【産業上の利用分野】
本発明は、投げ釣り時に、糸を係止する指に装着する釣り用手袋に関する。
【０００２】
【従来の技術】
この種の釣り用手袋において、指に装着される指サック部は、指の形状に沿った略筒状をしていた（例えば、特開平２−１４６１１８号公報）。
【０００３】
【発明が解決しようとする課題】
ところで、この種の指サック部は、キャストする際に指から瞬間的に放たれる糸から指を保護する為の機能を有するものであり、指への装着感や糸の出を損なわないようにする点に力点をおいて形成してあるので、その指サック部における外面の状態は滑らかな面にしてある。したがって、放出される糸への抵抗は少ないという良好な面を有する反面、釣りを終えて後仕舞いをする際に、指サック部が取り外せず、手袋を脱ぐのに苦労していた。特に、指サック部はキャステイングを繰り返す間に、濡れたり餌が付着する為に、表面が滑り易くなっており、指サック部を掴むのに難儀していたのが実情である。
本発明の目的は、指サック部の取り外しを容易に行い得るものを提供する点にある。
本発明の目的は、上記の目的に加えて、手首への装着が容易に行える釣り用手袋を提供する点にある。
本発明の目的は、上記の目的に加えて、手首への装着を良好に行うことのできる釣り用手袋を提供する点にある。
本発明の目的は、上記の目的に加えて、手首への装着をさらに良好に行うことのできる釣り用手袋を提供する点にある。
【０００４】
【課題を解決するための手段】
本発明の釣り用手袋の特徴構成は、指サック部（１）と手首への装着部（２）とを有し、前記指サック部（１）に摘み操作可能な把手（４）を形成し、前記指サック部（１）と前記装着部（２）とを、前記指サック部（１）と前記装着部（２）の間隔を調節可能な伸縮機構（Ｂ）を介して連結し、前記装着部（２）を伸縮性の高い材料でベルト状に形成し、このベルト状の前記装着部（２）における前記手首の内向き面に接触する部分の幅（Ｌ）を広く、かつ、前記手首の側面に接触する部分の幅（ｌ）を狭くしてある釣り用手袋において、前記指サック部（１）と前記装着部（２）とを連結する手甲部（３）と、前記手甲部（３）に握り拳の瘤に被さる長孔（３Ａ）を形成してなる点にあり、その作用効果は次の通りである。
【０００５】
【作用】
本発明の釣り用手袋は、指サック部を指より取り外す場合には、その把手を摘んで引っ張れば指サック部を外すことができる。また、伸縮機構を調節することによって、釣り人の手に合わせた状態で釣り用手袋を装着できる。更に、手首の大きさが異なる釣り人に対しても、その装着部が伸び縮みして手首にきっちり密着する。
更に、手首に装着されるベルト部分が、手首の形状に合わせた幅設定になっているので、手首の内向き面の比較的平坦な部分に接触する部分は幅を広くして、接触面積を多くすると同時に、手首の側面に接触してその側面の形状に沿って曲がる必要のある部分は幅狭くして、曲がり易い形状としてある。
【０００６】
【発明の効果】
本発明の釣り用手袋は、指サック部に把手を設けるだけの工夫を施すだけで、取り外し操作が容易になり、かつ、摘める程度の把手でよいので、大きなものは必要ではなく、指サック部の機能を損なうようなこともない。また、釣り人の手の大きさに固体差があっても、釣り用手袋としての適応性を広げることができる。更に、釣り人の手首の大きさに固体差があっても、釣り用手袋としての適応性を広げることができる。
更に、手首の形状に沿って合理的にベルト幅を設定してあるので、手首への装着性が飛躍的に向上し、キャスティング時に手袋の存在を感じさない違和感の少ない釣り用手袋を提供できるに至った。
【０００７】
［実施例］
図１に示すように、人差し指に装着される指サック部１と、手首に巻かれるベルト状の手首への装着部２と、指サック部１と手首への装着部２とを連結する略三角形状の手甲部３とで、釣り用手袋Ａを形成している。指サック部１は、鹿皮の一枚ものを筒状に形成して、上部で縫い合わせして形成してある。その上部で縫い合わされている皮の一部をその縫い合わせ部位より突出させて、その突出部を摘み操作可能な把手４としている。手首への装着部２と手甲部３とは同一シート材料で一体に形成されており、このシート材料は、表面に起毛が植立する伸縮材料である。手甲部３は手の甲に広く接触する３角形状に形成してあり、指サック部１との繋ぎ部近くに長孔３Ａを形成している。この長孔３Ａを形成してあるので、手に装着した際にその長孔３Ａが握り拳の瘤の部分に丁度被さり、手甲部３を固定するとともに、長孔３Ａ部分の伸縮が容易になり、手甲部３自体が伸縮性を有する面と相まって、手首の大きさの違いに十分に対応できる構成となっている。手首への装着部２はベルト状を呈し、手首に装着した状態で、手首の内向き面に接触する部分の幅Ｌを広くし、手首の側面に接触する部分の幅ｌを狭くして、手首への接触性を良好にしている。手首への装着部２の一端に面ファスナー２Ａを設け、この面ファスナー２Ａを手甲部３の起毛２Ｂの表面に押しつけることによって、手首に固定可能である。以上のような構成になる手袋Ａを、図２に示すように、手に装着して、キャステイング時に、指サック部１をした人差し指でリール６から出てくる糸ａを引っ掛けて、竿７を振りかぶりキャストを行う。この指サック部１で人差し指等を保護することになる。
【０００８】
［別実施例］
（１） 図３に示すように、指サック部１に係合ピン５を形成するとともに、手甲部３の先端部に係合ピン５の強制的な係合を許す複数個の係合孔３Ｂを形成し、係合ピン５の係合孔３Ｂに対する係合を切り換えることによって、指サック部１と手甲部３との連結状態を変更できる。このような係合ピン５と複数個の係合孔３Ｂとの構成を伸縮機構Ｂと称する。この伸縮機構Ｂとしては、指サック部１と手甲部３とに面ファスナーを設けて、面ファスナー同士の接着位置を変更するように構成してもよい。又、単に手甲部３を別の伸縮性の高い材料で構成して、伸縮機構Ｂとしてもよい。
（２）上記した実施例構成としては、少なくとも、指サック部１に把手４が形成されていればよく、他の伸縮機構Ｂや、長孔３Ａ等はなくてもよい。
（３）指サック部１の糸引っ掛け面に、糸を係止している状態を安定させるように、植毛や粗面処理等を施してもよい。
（４）図４に示すように、把手４としては、指サック部１の内面に形成してもよい。
【０００９】
尚、特許請求の範囲の項に図面との対照を便利にするために符号を記すが、該記入により本発明は添付図面の構成に限定されるものではない。
【図面の簡単な説明】
【図１】図１は、釣り用手袋を示す全体図である。
【図２】図２は、キャスティング時の釣り用手袋の装着状態を示す斜視図である。
【図３】図３は、伸縮機構を示す斜視図である。
【図４】図４は、把手の別実施の形態を示す斜視図である。
【符号の説明】
１…指サック部
２…手首への装着部
４…把手
Ｂ…伸縮機構
Ｌ，ｌ…幅
【図１】
0003601723.tif 000002
【図２】
0003601723.tif 000003
【図３】
0003601723.tif 000004
【図４】
0003601723.tif 000005